(57)【要約】【課題】リフレッシュレートの向上と消費電力の増大の度合いの抑制とを両立することができる表示装置等を提供する。【解決手段】表示装置は、少なくとも１色が割り当てられた第１画素と、第１画素の色よりも輝度の高い高輝度色が割り当てられた第２画素と、を備え、第２画素は、第１画素の駆動周波数よりも高い周波数で駆動される。【選択図】図７
2017173415.tif 000002
【特許請求の範囲】
【請求項１】
少なくとも１色が割り当てられた第１画素と、
前記第１画素の色よりも輝度の高い高輝度色が割り当てられた第２画素とを備え、
前記第２画素は、前記第１画素の駆動周波数よりも高い周波数で駆動される
表示装置。
【請求項２】
前記第１画素として、赤色が割り当てられた第１色画素、緑色が割り当てられた第２色画素及び青色が割り当てられた第３色画素を有し、
前記高輝度色は、白色である
請求項１に記載の表示装置。
【請求項３】
前記第２画素は、カラーフィルタが設けられていない画素又は透明な樹脂層が設けられた画素である
請求項２に記載の表示装置。
【請求項４】
前記第１画素と接続された第１走査線と、
前記第２画素と接続された第２走査線とを備え、
前記第１走査線及び前記第２走査線は駆動信号が入力される入力部と接続されており、
少なくとも前記第１走査線は、前記駆動信号の伝送の有無を切り替える切替回路を介して前記入力部と接続されている
請求項１から３のいずれか一項に記載の表示装置。
【請求項５】
前記第１走査線に対する駆動信号の伝送の有無を切り替えるための切替信号を前記切替回路に入力するための切替信号線を備え、
前記切替回路は、前記切替信号及び前記駆動信号の両方が入力された場合に前記第１走査線に前記駆動信号を伝送する
請求項４に記載の表示装置。
【請求項６】
前記第１走査線に対する駆動信号の伝送の有無を切り替えるための第１切替信号を前記切替回路に入力するための第１切替信号線と、
前記第２走査線に対する駆動信号の伝送の有無を切り替えるための第２切替信号を前記切替回路に入力するための第２切替信号線とを備え、
前記第１走査線及び前記第２走査線は、前記駆動信号の伝送の有無を切り替える切替回路を介して前記入力部と接続されており、
前記切替回路は、前記第１切替信号及び前記駆動信号の両方が入力された場合に前記第１走査線に前記駆動信号を伝送し、前記第２切替信号及び前記駆動信号の両方が入力された場合に前記第２走査線に前記駆動信号を伝送する
請求項４に記載の表示装置。
【請求項７】
赤色、緑色及び青色の各々の階調値を示す情報を含む画像データに基づいて、当該画像データが示す赤色、緑色及び青色の階調値のうち最小の階調値以下の赤色成分、緑色成分及び青色成分を白色成分に変換する変換処理部を備える
請求項２又は３に記載の表示装置。
【請求項８】
入力データに前記第２画素の色に対応する色成分を付加する付加処理部を備える
請求項１から７のいずれか一項に記載の表示装置。
【請求項９】
前記第２画素は、前記第１画素の２倍の周波数で駆動され、
前記第２画素が２回駆動される期間中における２回分の前記第１画素の入力データが示す階調値を平均化した出力データを前記第１画素に出力する画像処理部を備える
請求項１から８のいずれか一項に記載の表示装置。
【請求項１０】
前記画像処理部は、前記入力データの入力タイミングから１フレーム期間遅らせて前記出力データを出力する
請求項９に記載の表示装置。
【請求項１１】
前記第２画素は、前記第１画素の２倍の周波数で駆動され、
前記第２画素が２回駆動される期間中における２回分の前記第１画素の入力データが示す輝度差を反映した出力データを前記第２画素に出力する画像処理部を備える
請求項１から８のいずれか一項に記載の表示装置。
【請求項１２】
少なくとも１色が割り当てられた第１画素と、前記第１画素の色よりも輝度の高い高輝度色が割り当てられた第２画素と、を備える表示装置の制御方法であって、
前記第２画素を、前記第１画素の駆動周波数よりも高い周波数で駆動する
表示装置の制御方法。
【請求項１３】
少なくとも１色が割り当てられた第１画素と、
前記第１画素の色よりも輝度の高い高輝度色が割り当てられた第２画素と、
前記第１画素と接続された第１走査線と、
前記第２画素と接続された第２走査線とを備え、
前記第１走査線及び前記第２走査線は駆動信号が入力される入力部と接続されており、
少なくとも前記第１走査線は、前記駆動信号の伝送の有無を切り替える切替回路を介して前記入力部と接続されている
表示装置。
【発明の詳細な説明】
【技術分野】
【０００１】
本発明は、表示装置及び表示装置の制御方法に関する。
【背景技術】
【０００２】
１つの画素の構成単位として赤色、緑色、青色及び白色の副画素を有する表示装置が知られている（例えば特許文献１）。
【先行技術文献】
【特許文献】
【０００３】
【特許文献１】特開２０１０−３３００９号公報
【発明の概要】
【発明が解決しようとする課題】
【０００４】
表示装置は、フレーム画像の更新頻度であるリフレッシュレートをより高めることで、フレーム画像の遷移がより視認されにくくなる。特に、動画像の表示においては、リフレッシュレートが高い程、表示される動体の動作をより滑らかな動作として視認させやすくなる。
【０００５】
しかしながら、リフレッシュレートが上がる程、表示装置の画素を駆動する駆動系における消費電力も増大する。特に、赤色、緑色、青色及び白色の４つの副画素を有する表示装置のように、１つの画素を構成する副画素数が多くなるほど駆動系における消費電力の増大も顕著になり易い。
【０００６】
本発明は、上記の課題に鑑みてなされたもので、リフレッシュレートの向上と消費電力の増大の度合いの抑制とを両立することができる表示装置及び表示装置の制御方法を提供することを目的とする。
【課題を解決するための手段】
【０００７】
本発明の一態様である表示装置は、少なくとも１色が割り当てられた第１画素と、前記第１画素の色よりも輝度の高い高輝度色が割り当てられた第２画素と、を備え、前記第２画素は、前記第１画素の駆動周波数よりも高い周波数で駆動される。
【０００８】
また、本発明の一態様である表示装置の制御方法は、少なくとも１色が割り当てられた第１画素と、前記第１画素の色よりも輝度の高い高輝度色が割り当てられた第２画素と、を備える表示装置の制御方法であって、前記第２画素を、前記第１画素の駆動周波数よりも高い周波数で駆動する。
【０００９】
また、本発明の一態様である表示装置は、少なくとも１色が割り当てられた第１画素と、前記第１画素の色よりも輝度の高い高輝度色が割り当てられた第２画素と、前記第１画素と接続された第１走査線と、前記第２画素と接続された第２走査線とを備え、前記第１走査線及び前記第２走査線は駆動信号が入力される入力部と接続されており、少なくとも前記第１走査線は、前記駆動信号の伝送の有無を切り替える切替回路を介して前記入力部と接続されている。
【図面の簡単な説明】
【００１０】
【図１】図１は、本発明の実施形態による表示システムの主要構成を示す図である。
【図２】図２は、ルームミラーユニット及びサイドミラーユニットが有する撮像装置の配置例を示す図である。
【図３】図３は、サイドミラーユニットが有する表示装置の配置例を示す図である。
【図４】図４は、表示装置の構成の一例を示すブロック図である。
【図５】図５は、本実施形態に係る表示部の画像表示パネル及び画像表示パネル駆動回路の概念図である。
【図６】図６は、画像表示パネルの概略的な断面構造図である。
【図７】図７は、切替回路の具体的構成の一例を示す図である。
【図８】図８は、第１副画素、第２副画素、第３副画素及び第４副画素の書き換え周期の一例を示す図である。
【図９】図９は、図７に示す第１副画素、第２副画素、第３副画素及び第４副画素の書き換えに係り出力される駆動系の信号の出力例を示す図である。
【図１０】図１０は、画像処理部による画像処理及び元データの入力タイミングと画像データの出力タイミングの制御の一例を示すタイミングチャートである。
【図１１】図１１は、画像処理部による画像処理及び元データの入力タイミングと画像データの出力タイミングの制御の別の一例を示すタイミングチャートである。
【図１２】図１２は、フレーム間の輝度調整に係る処理の流れの一例を示すフローチャートである。
【図１３】図１３は、ＲＧＢの映像信号に基づいてＲＧＢＷの映像信号を生成する仕組みの一例を示す図である。
【図１４】図１４は、輝度突き上げ処理前の色空間を模式的に示す図である。
【図１５】図１５は、輝度突き上げ処理後の色空間を模式的に示す図である。
【図１６】図１６は、輝度突き上げ処理による輝度の向上を図１５に示す色空間で模式的に示す図である。
【図１７】図１７は、輝度突き上げ処理によって映像信号に追加された輝度成分を模式的に示す図である。
【図１８】図１８は、変形例における第１副画素、第２副画素、第３副画素及び第４副画素並びに切替回路の具体的構成を示す図である。
【図１９】図１９は、図１８に示す第１副画素、第２副画素、第３副画素及び第４副画素の書き換えに係り出力される駆動系の信号の出力例を示すタイミングチャートである。
【発明を実施するための形態】
【００１１】
以下に、本発明の各実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
（実施形態）
図１は、本発明の実施形態による表示システム１の主要構成を示す図である。図１に示すように、表示システム１は、ルームミラーユニット２、２つのサイドミラーユニット３Ａ，３Ｂ及びＣＩＤ（Center  Information  Display）ユニット４を備える。表示システム１は、移動体である自動車に設けられた所謂車載の表示システムである。表示システム１における各装置間の信号伝達に係る接続系統は有線でも無線でもよい。
【００１３】
ルームミラーユニット２及びサイドミラーユニット３Ａ，３Ｂは、撮像装置５及び表示装置を有する。ルームミラーユニット２及びサイドミラーユニット３Ａ，３Ｂは、それぞれが１つの処理単位（表示システム）として機能しうる。本実施形態においてルームミラーユニット２及びサイドミラーユニット３Ａ，３Ｂが有する表示装置は、それぞれが備える表示部２０，２０Ａ，２０Ｂに表示される画像の画像処理を、それぞれが備える集積回路である画像処理部１０，１０Ａ，１０Ｂにより行うが、これは一例であってこれに限られるものでない。例えば、表示装置は、表示部２０に対応する構成を備える装置であってもよい。この場合、画像処理部１０に対応する構成は、表示装置に接続された外部の構成（画像処理装置等）として設けられる。
【００１４】
図２は、ルームミラーユニット２及びサイドミラーユニット３Ａ，３Ｂが有する撮像装置５Ａ，５Ｂ，５Ｃの配置例を示す図である。図２では、撮像装置５Ａ，５Ｂ，５Ｃの画角を破線で示している。例えば図２に示すように、本実施形態に係る表示システム１は、３つの撮像装置５Ａ，５Ｂ，５Ｃを有する。３つの撮像装置５Ａ，５Ｂ，５Ｃは、自動車の車体ＢＯの後方及び側方に配置される。３つの撮像装置５Ａ，５Ｂ，５Ｃの撮像素子はレンズを介して外部に露出しており、画角が車外に向けられている。すなわち、３つの撮像装置５Ａ，５Ｂ，５Ｃは、車外の状況を確認可能な画像を撮像する。より具体的には、側方に設けられる撮像装置５Ａ，５Ｂの画角ＡＶ１，ＡＶ２と、後方に設けられる撮像装置５Ｃの画角ＡＶ３とは、少なくとも連続するように設けられ、より好適には、画角が一部重複するように設けられている。これにより、側方の撮像装置５Ａ，５Ｂの画角のうち、自動車の前方側の画角ＡＶ１，ＡＶ２よりも後方の状況を３つの撮像装置５Ａ，５Ｂ，５Ｃの撮像範囲内に収めることができる。本実施形態では、例えばルームミラーユニット２の表示部２０が撮像装置５Ａにより撮像された画像を表示し、サイドミラーユニット３Ａの表示部２０Ａが撮像装置５Ｂにより撮像された画像を表示し、サイドミラーユニット３Ｂの表示部２０Ｂが撮像装置５Ｃにより撮像された画像を表示するが、これは一例であってこれに限られるものでなく、適宜変更可能である。撮像装置５Ａ，５Ｂ，５Ｃを特に区別する必要がない場合、撮像装置５と記載することがある。
【００１５】
図３は、サイドミラーユニット３Ａが有する表示部２０Ａの配置例を示す図である。サイドミラーユニット３Ａが有する表示部２０Ａは、四輪自動車の車内であって運転席の側方に配置される。具体的には、サイドミラーユニット３Ａが有する表示部２０Ａは、例えば図３に示すように、フロントガラスＦＧとサイドガラスＳＧとの間に存するＡピラーＡＰの付け根付近に設けられる。サイドミラーユニット３Ｂが有する表示部２０Ｂは、ハンドルＨＮ等が運転席に対してサイドミラーユニット３Ａが有する表示部２０Ａと左右逆の位置に設けられる。サイドミラーユニット３Ａ，３Ｂが有する表示部２０Ａ，２０Ｂは、車外の状況のうち主に車体ＢＯの側方の状況を示す画像を表示する。すなわち、サイドミラーユニット３Ａ，３Ｂは、従来ドアミラー又はフェンダーミラーにより確認されていた車外側方の状況確認に利用することができる。ルームミラーユニット２が有する表示部２０は、例えばフロントガラスＦＧの中央上部付近に位置するよう設けられ、所謂バックミラーを代替する。すなわち、ルームミラーユニット２は、従来バックミラーにより確認されていた車外後方の状況確認に利用することができる。
【００１６】
ＣＩＤユニット４は、例えば画像処理部１４、表示部２０Ｃ等を備える。ＣＩＤユニット４の表示部２０Ｃは、例えばダッシュボードに設けられて、カーナビゲーションシステムにおける道案内情報等を表示する。ＣＩＤユニット４の表示部２０Ｃは、スピードメータ、タコメータ、燃料計、水温計、距離計等の計器類と同様の情報を出力する表示装置として設けられてもよい。
【００１７】
実施形態に係るＣＩＤユニット４は、ルームミラーユニット２及びサイドミラーユニット３Ａ，３Ｂとデータ伝送可能に接続される。具体的には、ＣＩＤユニット４とルームミラーユニット２及びサイドミラーユニット３Ａ，３Ｂとは例えばＨＤＭＩ（登録商標）（High-Definition  Multimedia  Interface）等のインタフェースを介して接続されるが、係る接続形態は、ＣＩＤユニット４とルームミラーユニット２及びサイドミラーユニット３Ａ，３Ｂとの接続の具体的形態の一例であってこれに限られるものでなく、適宜変更可能である。各ユニットは相互に代替出力ができてもよく、例えば、ＣＩＤユニット４の表示部２０Ｃは、ルームミラーユニット２及びサイドミラーユニット３Ａ，３Ｂの各々が有する表示部２０，２０Ａ，２０Ｂのうちいずれかが故障した場合、故障した表示装置の表示出力を代替する。画像処理部１４は、後述する画像処理部１０の処理に加えて、ＣＩＤユニット４の表示部２０Ｃによる表示出力に係る各種の処理を行う。
【００１８】
図４は、表示部２０の構成の一例を示すブロック図である。図５は、本実施形態に係る表示部２０の画像表示パネル３０及び画像表示パネル駆動回路４０の概念図である。サイドミラーユニット３Ａ，３Ｂの表示部２０Ａ，２０Ｂの構成及び本実施形態に係るＣＩＤユニット４の表示部２０Ｃの構成も、図４及び図５に示す表示部２０の構成と同様である。
【００１９】
図４に示すように、表示部２０は、画像処理部１０から出力された出力信号に基づいて画像を表示させる画像表示パネル３０と、画像表示パネル３０の駆動を制御する画像表示パネル駆動回路４０と、画像表示パネル３０を、例えばその背面から照明する光源装置５０と、光源装置５０の駆動を制御する光源装置制御回路６０と、を備える。
【００２０】
図５に示すように、画像表示パネル３０は、画素４８が、Ｐ×Ｑ個（行方向にＰ個、列方向にＱ個）、２次元のマトリクス状に配列されている。図５に示す例は、ＸＹの２次元座標系に複数の画素４８がマトリクス状に配列されている例を示している。この例において、行方向がＸ方向、列方向がＹ方向である。また、Ｘ方向及びＹ方向に直交する方向をＺ方向とする。
【００２１】
行列方向に沿う複数の画素４８は、行単位（ライン単位）で制御される。具体的には、所定の周波数のマスタークロックＣＫ（図１０等参照）に応じた垂直同期信号Ｖｓｔａｒｔ（図９等参照）及び水平同期信号Ｖｃｋ（図９等参照）に基づいて制御される。垂直同期信号Ｖｓｔａｒｔは、画像表示パネル３０によって表示されるフレーム画像の更新タイミングに対応する信号である。水平同期信号Ｖｃｋは、ライン単位での画素４８の動作制御タイミングに対応する信号である。マスタークロックＣＫ、垂直同期信号Ｖｓｔａｒｔ及び水平同期信号Ｖｃｋは、表示装置が設けられた電子機器が有する構成（例えば、クロック生成出力部を有する回路等）が出力してもよいし、画像処理部１０が当該構成を含んでいてもよい。本実施形態では、マスタークロックＣＫの周波数と垂直同期信号Ｖｓｔａｒｔの周波数は同一である。また、水平同期信号Ｖｃｋの周波数は、垂直同期信号Ｖｓｔａｒｔの周波数にライン数（Ｑ）を乗じた周波数である。
【００２２】
画素４８は、複数の副画素４９を有する。具体的には、画素４８は、例えば、第１副画素４９Ｒと、第２副画素４９Ｇと、第３副画素４９Ｂと、第４副画素４９Ｗとを有する。第１副画素４９Ｒは、第１色成分（例えば、第１原色として赤色）を表示する。第２副画素４９Ｇは、第２色成分（例えば、第２原色として緑色）を表示する。第３副画素４９Ｂは、第３色成分（例えば、第３原色として青色）を表示する。第４副画素４９Ｗは、第４色成分（具体的には白色）を表示する。以下において、第１副画素４９Ｒと、第２副画素４９Ｇと、第３副画素４９Ｂと、第４副画素４９Ｗとをそれぞれ区別する必要がない場合、副画素４９と記載することがある。
【００２３】
本実施形態では、第１副画素４９Ｒ、第２副画素４９Ｇ及び第３副画素４９Ｂが第１画素として機能する。第１画素は、少なくとも１色が割り当てられた画素である。第１副画素４９Ｒ、第２副画素４９Ｇ及び第３副画素４９Ｂの色である第１原色としての赤色、第２原色としての緑色及び第３原色としての青色は、第１画素の色としての条件を満たしている。また、本実施形態では、第４副画素４９Ｗが第２画素として機能する。第２画素は、第１画素の色よりも輝度の高い高輝度色が割り当てられた画素である。白色は、赤色、緑色及び青色よりも輝度の高い高輝度色としての条件を満たしている。
【００２４】
表示部２０は、より具体的には、例えば透過型のカラー液晶表示装置である。画像表示パネル３０は、カラー液晶表示パネルであり、第１副画素４９Ｒと画像観察者との間に第１原色を通過させる第１カラーフィルタ７１Ｒが配置され、第２副画素４９Ｇと画像観察者との間に第２原色を通過させる第２カラーフィルタ７１Ｇが配置され、第３副画素４９Ｂと画像観察者との間に第３原色を通過させる第３カラーフィルタ７１Ｂが配置されている。また、画像表示パネル３０は、第４副画素４９Ｗと画像観察者との間にカラーフィルタが配置されていない。第４副画素４９Ｗには、カラーフィルタの代わりに透明な樹脂層７１Ｗが備えられていてもよい。このように画像表示パネル３０は、透明な樹脂層７１Ｗを設けることで、第４副画素４９Ｗにカラーフィルタを設けないことによって第４副画素４９Ｗに大きな段差が生じることを抑制することができる。
【００２５】
そして、画像表示パネル３０は、例えば、第１副画素４９Ｒ、第２副画素４９Ｇ、第３副画素４９Ｂ及び第４副画素４９Ｗが所定の配列（例えばストライプ配列）で配置されている。なお、１つの画素４８に含まれる第１副画素４９Ｒ、第２副画素４９Ｇ、第３副画素４９Ｂ、第４副画素４９Ｗの構造及びその配置は特に限定されない。例えば、画像表示パネル３０は、第１副画素４９Ｒ、第２副画素４９Ｇ、第３副画素４９Ｂ及び第４副画素４９Ｗをダイアゴナル配列（モザイク配列）に類似した配列で配置してもよい。また、例えば、デルタ配列（トライアングル配列）に類似した配列、レクタングル配列に類似した配列等としてもよい。
【００２６】
図６は、画像表示パネル３０の概略的な断面構造図である。画像表示パネル３０は、２つの基板の間に設けられた図示しないスペーサによって形成されたスペースに表示機能層、例えば、液晶層７５が封入されている。図６を参照した説明では、液晶層７５に対して表示面側に位置する基板を第１基板３１とし、その反対側（背面側）に位置する基板を第２基板３２としている。
【００２７】
第１基板３１は、例えば、ガラス基板７３と、ガラス基板７３に設けられた第１カラーフィルタ７１Ｒ、第２カラーフィルタ７１Ｇ、第３カラーフィルタ７１Ｂ及びブラックマトリクス７２を有する。表示部２０における制御単位（例えば、副画素４９）が設けられる領域は、制御単位の各々に割り当てられた色に対応するカラーフィルタが配置された領域である。言い換えると、当該領域は、複数の副画素４９を格子状に区切るブラックマトリクス７２に囲われた領域である。ブラックマトリクス７２は、表示面側から見た平面視で、第１走査線ＧＬ及び第２走査線ＧＨ並びに信号線ＤＴＬと重なる位置に設けられている。
【００２８】
第２基板３２は、例えば、ガラス基板７４と、ガラス基板７４に設けられたＴＦＴ７６、共通電極７７、画素電極７８等を有する。ＴＦＴ７６、共通電極７７、画素電極７８は、絶縁層７９ａ，７９ｂを挟んでガラス基板７４上の液晶層７５側に積層されている。副画素４９は、走査線ＳＣＬと接続されている第１走査線ＧＬ及び第２走査線並びに信号線ＤＴＬによって囲われている。副画素４９は、第１走査線ＧＬ及び第２走査線ＧＨと信号線ＤＴＬとの交点に配置された薄膜トランジスタ（ＴＦＴ：Thin  Film  Transistor）７６によって制御される制御単位である。副画素４９は、各々に設けられたＴＦＴ７６と接続されている個別の電極である第１電極（画素電極７８）と、複数の副画素で共通する第２電極（共通電極７７）とを有し、第１電極と第２電極に与えられる電荷によって制御される。なお、ＴＦＴ７６及び画素電極７８は、複数の副画素４９に個別に設けられる。共通電極７７は、複数の副画素４９で共有される。共通電極は、表示領域を一面を覆う所謂ベタ電極であってもよいし、スリット等が形成された電極であってもよい。
【００２９】
表示部２０は、第１偏光板８１、第２偏光板８２を有する。第１偏光板８１は、第１基板３１の表示面側に設けられる。第２偏光板８２は、第２基板３２の背面側に設けられる。第１偏光板８１、第２偏光板８２は、通過させる光の偏光角度が交差するよう設けられており、所謂クロスニコルを形成している。
【００３０】
また、図示しないが、第１基板３１の液晶層７５側、第２基板３２の液晶層７５側に配向膜が配置されていてもよい。配向膜は、本実施形態における表示機能層である液晶層７５が含む液晶分子の初期配向を規定する配向処理、例えば、ラビングまたは光配向が施された構成である。
【００３１】
なお、図６を参照して説明した各構成の配置はあくまで一例であってこれに限られるものでなく、適宜変更可能である。例えば、画素電極７８と共通電極７７は積層順が逆であってもよい。また、画素電極７８と共通電極７７は同層に形成されていてもよいし、それぞれ異なる基板上に設けられてもよい。また、第１カラーフィルタ７１Ｒ、第２カラーフィルタ７１Ｇ、第３カラーフィルタ７１Ｂ等のカラーフィルタが形成されるカラーフィルタ層７１は、第２基板３２に設けられてもよい。
【００３２】
画像表示パネル駆動回路４０は、信号出力回路４１及び走査回路４２を備えている。具体的には、画像表示パネル駆動回路４０は、例えば図６に示すように、第２基板３２のガラス基板７４上に設けられる。信号出力回路４１は、画像処理部１０で生成された画像データに基づいて、画像表示パネル３０に映像信号を出力する。例えば、信号出力回路４１は、所謂ソースドライバであり、画像処理部１０から出力されたライン単位の画像のデータに応じて画素４８を駆動するための映像信号を生成する。画像表示パネル駆動回路４０は、水平同期信号Ｖｃｋに基づいて、信号出力回路４１によって映像信号を保持し、順次、画像表示パネル３０に出力する。信号出力回路４１は、信号線ＤＴＬによって画像表示パネル３０と電気的に接続されている。画素４８は、副画素４９が映像信号に応じた光透過率となるように動作する。
【００３３】
画像処理部１０には、例えば、フレキシブルプリント基板（ＦＰＣ：Flexible  Printed  Circuits）等の第１プリント基板９１を介して画像データの元データが入力される。元データは、例えば撮像装置５が有する回路基板９５上に形成されたマイクロプロセッサ（ＭＰＵ：Micro-Processing  Unit）９６が出力するデータであり、撮像装置５による撮像画像に基づいたデータである。
【００３４】
なお、画像処理部１０が画像データに応じて各副画素４９を駆動するための映像信号を生成し、信号出力回路４１は画像処理部１０からの各副画素への映像信号を各副画素へと出力する出力配線であってもよい。更に、画像処理部１０が画像データに応じて、複数の副画素４９からなる副画素群を駆動するための映像信号を生成し、信号出力回路４１は、画像処理部１０からの各副画素群への映像信号を各副画素４９へと時分割で出力するセレクタ回路であってもよい。例えば、セレクタ回路は、複数のスイッチ素子で構成される。各スイッチ素子は一方端は信号線ＳＧＬと接続され、各スイッチ素子の他方端は副画素群で共通する共通配線と接続される。共通配線は、画像処理部１０と接続され、画像処理部１０から副画素群に含まれる副画素４９に対応する映像信号をまとめた統合映像信号が入力される。各スイッチ素子は、更に、各スイッチ切換信号線と接続され、スイッチ切換信号からの信号に基づき、各信号線と共通配線を接続する。各スイッチ切換信号線に与える信号のタイミングをずらし、共通配線と接続される信号線を切り換えることで、副画素群ごとに生成された映像信号を各副画素４９に供給することができる。また、画像処理部からの出力に使用される配線が副画素群ごとの共通配線となるので出力配線数を低減することができる。また、これらの例に限らず、画像表示パネル駆動回路４０、画像処理部１０及びＭＰＵ９５のいずれかの構成により行われている処理は、他の構成が行う処理としてよい。例えば、画像処理部１０による処理の一部又は全部を画像表示パネル駆動回路４０又はＭＰＵ９５による処理としてもよい。また、図６で例示した画像表示パネル駆動回路４０、画像処理部１０及びＭＰＵ９５の配置は一例であってこれに限られるものでなく、適宜変更可能である。例えば、画像処理部１０は第１プリント基板９１に設けられていてもよい。
【００３５】
また、信号出力回路４１は、切替信号線ＡＥを介して画像表示パネル３０の画素行毎に設けられている切替回路４７と接続されている。本実施形態の信号出力回路４１は、映像信号を出力する機能及び切替信号ａｌｌ＿ｅｎｂ（図９参照）を出力する機能を有する。例えば、信号出力回路４１は画像処理部１０で生成された切替信号ａｌｌ＿ｅｎｂを出力する配線で構成される。信号出力回路４１は、所定のリフレッシュレート（例えば、６０Ｈｚ）に対応する周期で第１副画素４９Ｒ、第２副画素４９Ｇ、第３副画素４９Ｂの光透過率に応じた赤色、緑色及び青色（ＲＧＢ）の映像信号及び切替信号ａｌｌ＿ｅｎｂを出力する。また、信号出力回路４１は、所定のリフレッシュレートよりも高いリフレッシュレートに対応する周期で第４副画素４９Ｗの光透過率に応じた高輝度画素の映像信号（例えば、白色（Ｗ）の映像信号）を出力する。具体的には、信号出力回路４１は、所定のリフレッシュレートの２倍（例えば、１２０Ｈｚ）に対応する周期で第４副画素４９Ｗの光透過率に応じたＷの映像信号を出力する。言い換えれば、本実施形態におけるＲＧＢの映像信号の出力周期は、Ｗの映像信号の出力周期の１／２である。また、信号出力回路４１がそれぞれの信号線と接続されたスイッチ素子からなるセレクタ回路である場合は、第１副画素４９Ｒ、第２副画素４９Ｇ、及び第３副画素４９Ｂに対応する信号線と接続された第１スイッチ切換信号線、第２スイッチ切換信号線、及び第３スイッチ切換信号線は所定のリフレッシュレートに対応する周期でスイッチ切換信号を出力し、第４副画素４９Ｗに対応する信号線と接続された第４スイッチ切換信号線は、所定のリフレッシュレートの２倍に対応する周期でスイッチ切換信号を出力する。
【００３６】
本実施形態における垂直同期信号Ｖｓｔａｒｔの出力周期は、高輝度画素の映像信号の出力周期に対応して設定されている。すなわち、垂直同期信号Ｖｓｔａｒｔの周波数は、ＲＧＢの映像信号及び切替信号ａｌｌ＿ｅｎｂが出力される周期である所定のリフレッシュレートの２倍に対応する周波数（例えば、１２０Ｈｚ）である。言い換えれば、垂直同期信号Ｖｓｔａｒｔの周波数と同一である本実施形態におけるマスタークロックＣＫの周波数は、所定のリフレッシュレートの２倍に対応する周波数（例えば、１２０Ｈｚ）である。
【００３７】
走査回路４２は、所謂ゲートドライバであり、垂直同期信号Ｖｓｔａｒｔに基づいて、画像処理部１０から出力された画像データが示す画素行に応じた駆動信号を出力する。具体的には、走査回路４２は、高輝度画素の映像信号が出力されるタイミングと同期したタイミングで、所定のリフレッシュレートの２倍（例えば、１２０Ｈｚ）に対応する周期で駆動信号を出力する。画像表示パネル駆動回路４０は、走査回路４２からの駆動信号の出力及び信号出力回路４１からの切替信号ａｌｌ＿ｅｎｂの出力によって画像表示パネル３０における副画素４９の動作（例えば表示輝度で、この場合は光透過率）を制御するためのスイッチング素子（例えば、ＴＦＴ７６）のＯＮ／ＯＦＦを制御する。
【００３８】
具体的には、走査回路４２は、走査線ＳＣＬによって画像表示パネル３０と電気的に接続されている。走査回路４２が走査線ＳＣＬを介してスイッチング素子をＯＮ／ＯＦＦするということは、走査線ＳＣＬに沿って設けられたライン単位でスイッチング素子をＯＮ／ＯＦＦすることができるということである。このように、表示部２０は、ライン単位で表示出力のＯＮ／ＯＦＦを制御することができるよう設けられている。言い換えれば、走査線ＳＣＬは、ライン単位で設けられている。より具体的には、走査線ＳＣＬは、ライン単位で設けられている切替回路４７を介して各画素行と接続されている。また、各画素行には、第１走査線ＧＬと第２走査線ＧＨが行方向に沿って設けられている。第１走査線ＧＬ及び第２走査線ＧＨは、駆動信号を伝送する配線である。第１副画素４９Ｒ、第２副画素４９Ｇ及び第３副画素４９ＢのＴＦＴ７６は、第１走査線ＧＬと接続されている。第２走査線ＧＨは、第４副画素４９ＷのＴＦＴ７６と接続されている。
【００３９】
光源装置５０は、画像表示パネル３０の背面に配置され、画像表示パネル３０に向けて光を照射することで、バックライトとして機能して画像表示パネル３０を照明する。具体的には、光源装置５０は、例えば図６に示すように、発光ダイオード（ＬＥＤ：Light  Emitting  Diode）等の発光素子を有する光源５１、光源５１からの光を複数の副画素４９が設けられた表示領域全体に導く導光板５２等を有する。光源装置５０は、さらに、プリズムシート等の光学シート等を構成に含んでいてもよい。また、光源装置５０は、画像表示パネル３０の前面に配置したフロントライト構成であってもよい。また画像表示パネル３０として自発光のディスプレイ、例えばＯＬＥＤ（Organic  Light  Emitting  Diode）ディスプレイ、又は、外光を反射層(反射電極)で反射させることで表示を行う反射型液晶ディスプレイ等を用いる場合には、この光源装置５０は不要にできる。
【００４０】
光源装置制御回路６０は、光源装置５０から出力する光の照射光量等を制御する。具体的には、光源装置制御回路６０は、画像処理部１０から出力される光源装置制御信号に基づいて光源装置５０に供給する電流、電圧又は信号のｄｕｔｙ比を調整することで、画像表示パネル３０を照射する光の照射光量（光の強度）を制御する。
【００４１】
光源装置制御回路６０は、例えば光源装置５０と一体的に設けられている。光源装置制御回路６０と画像処理部１０とは、第２プリント基板９２を介して接続されている。なお、第１プリント基板９１及び第２プリント基板９２は、例えばＦＰＣであるが、これに限られるものでなく適宜変更可能である。
【００４２】
次に、駆動信号が伝送されるタイミング及び係るタイミングで行われる副画素４９の動作について説明する。本実施形態に係る説明では、係る副画素４９の動作によって副画素４９の光透過率が制御されることを「書き換え」と記載することがある。図７は、切替回路４７の具体的構成の一例を示す図である。図８は、第１副画素４９Ｒ、第２副画素４９Ｇ、第３副画素４９Ｂ及び第４副画素４９Ｗの書き換え周期の一例を示す図である。図９は、図７に示す第１副画素４９Ｒ、第２副画素４９Ｇ、第３副画素４９Ｂ及び第４副画素４９Ｗの書き換えに係り出力される駆動系の信号の出力例を示す図である。
【００４３】
切替回路４７は、例えば、入力側が走査線ＳＣＬと切替信号線ＡＥに接続され、出力側が第１走査線ＧＬに接続されているＡＮＤ回路を有する。ＡＮＤ回路は、走査線ＳＣＬからの駆動信号と切替信号線ＡＥからの切替信号ａｌｌ＿ｅｎｂの両方が入力されるタイミングで駆動信号を第１走査線ＧＬに出力する。上記で説明したように、駆動信号の出力周期は、所定のリフレッシュレートの２倍に対応する周期である。一方、切替信号ａｌｌ＿ｅｎｂの出力周期は、所定のリフレッシュレートに対応する周期である。なお、切替回路４７は、第１走査線ＧＬとの接続位置及び第２走査線ＧＨとの接続位置にそれぞれバッファを有していてもよい。
【００４４】
一方、第２走査線ＧＨは、所定のリフレッシュレートの２倍に対応する周期で駆動信号を第４副画素４９Ｗに伝送する。本実施形態では、同一の画素行に設けられている走査線ＳＣＬと第２走査線ＧＨは切替回路内で直結された一条の配線であって、走査線ＳＣＬに駆動信号が出力されたタイミングに応じて無条件に第２走査線ＧＨが駆動信号を伝送する仕組みになっているが、これは走査線ＳＣＬと第２走査線ＧＨとの関係の一例であってこれに限られるものでない。走査線ＳＣＬと第２走査線ＧＨとの関係に係る具体的構成は、駆動信号の伝送タイミングを本実施形態と同様にすることができる範囲内で適宜変更可能である。
【００４５】
本実施形態では、第１副画素４９Ｒ、第２副画素４９Ｇ及び第３副画素４９Ｂは、所定のリフレッシュレートに対応する周期で、切替信号ａｌｌ＿ｅｎｂの出力タイミングと同期したタイミングで出力されているＲＧＢの映像信号に基づいた書き換えが行われる。また、第４副画素４９Ｗは、所定のリフレッシュレートの２倍に対応する周期で、駆動信号の出力タイミングと同期したタイミングで出力されている高輝度画素の映像信号に基づいた書き換えが行われる。
【００４６】
例えば、図８に示すように垂直同期信号Ｖｓｔａｒｔの出力周期に対応して制御される画像表示パネル３０のフレーム画像の更新周期の各々に対応したフレームをフレームＦ１，Ｆ２，Ｆ３，…とする。駆動信号の出力周期は、垂直同期信号Ｖｓｔａｒｔの出力周期に対応していることから、第４副画素４９Ｗは、垂直同期信号Ｖｓｔａｒｔの出力周期である所定のリフレッシュレートの２倍に対応する周期で書き換えられる。よって、第４副画素４９Ｗは、フレームＦ１，Ｆ２，Ｆ３，…のように連続するフレーム単位で書き換えが行われる。
【００４７】
一方、第１副画素４９Ｒ、第２副画素４９Ｇ及び第３副画素４９Ｂは、垂直同期信号Ｖｓｔａｒｔの出力周期の１／２の周期である所定のリフレッシュレートに対応する周期で書き換えられる。よって、第１副画素４９Ｒ、第２副画素４９Ｇ及び第３副画素４９Ｂは、例えば、フレームＦ１，Ｆ３，Ｆ５，…のように２フレーム単位で書き換えが行われる。書き換えが行われないフレームにおける第１副画素４９Ｒ、第２副画素４９Ｇ及び第３副画素４９Ｂは、書き換えが行われた直前のフレームで制御された光透過率を維持している。よって、第１副画素４９Ｒ、第２副画素４９Ｇ及び第３副画素４９Ｂは、例えばフレームＦ２のタイミングでは、直前のフレームＦ１のタイミングにおける書き換えに応じた光透過率を維持している。言い換えると、１つの画素がｐ個の副画素から構成される場合において、ｑ個の副画素（ｑ≦ｐ）を書き換える第１期間と、１つの画素に含まれるｒ個（ｒ＜ｑ）の副画素を書き換える第２期間を有する。表示部２０は、第１期間と第２期間が交互になるように制御し、第１期間と第２期間で書き換えられる副画素４９の少なくとも一部は重複している。
【００４８】
より具体的な例として、例えば図９に示すように垂直同期信号Ｖｓｔａｒｔ及び水平同期信号Ｖｃｋが出力される場合について説明する。上記で説明した通り、水平同期信号Ｖｃｋの周波数は、垂直同期信号Ｖｓｔａｒｔの周波数にライン数を乗じた周波数であり、係る周波数に応じてハイ／ロウ（Ｈｉｇｈ／Ｌｏｗ）が切り替わっている。所定のリフレッシュレートの２倍に対応する周期で出力され、ハイになっている垂直同期信号Ｖｓｔａｒｔの出力タイミングが、各フレームＦ１，Ｆ２，…の開始タイミングを決定する。所定のリフレッシュレートに対応する周期で出力される切替信号ａｌｌ＿ｅｎｂは、連続する２フレームのいずれか一方のフレーム（例えば、フレームＦ１，Ｆ２のうちフレームＦ１）に出力される。よって、図９に示す例では、フレームＦ１において切替信号ａｌｌ＿ｅｎｂがハイになっており、フレームＦ２において切替信号ａｌｌ＿ｅｎｂがロウになっている。
【００４９】
複数の画素行は、水平同期信号Ｖｃｋの出力タイミングに応じて個別に駆動される。図７では、画像表示パネル３０が有する複数の画素行のうち図示されているｆ（ｆ＝２）行の画素行に個別に接続されている走査線ＳＣＬに対して個別の符号Ｇｆ（Ｇ１，Ｇ２）を付している。図９におけるＧｆがハイになっているタイミングは、図７におけるｆ行目の画素行に接続されている走査線Ｇｆに駆動信号が出力されているタイミングである。また、図７では、ｆ行目の画素行が有する第１走査線ＧＬに個別の符号ｇａｔｅｆＬ（ｇａｔｅ１Ｌ，ｇａｔｅ２Ｌ）を付している。また、図７では、ｆ行目の画素行が有する第２走査線ＧＨに個別の符号ｇａｔｅｆＨ（ｇａｔｅ１Ｈ，ｇａｔｅ２Ｈ）を付している。図９におけるｇａｔｅ１Ｌ，ｇａｔｅ２Ｌ，ｇａｔｅ１Ｈ，ｇａｔｅ２Ｈがハイになっているタイミングは、それぞれの符号が付された線に駆動信号が伝送されているタイミングである。
【００５０】
切替信号ａｌｌ＿ｅｎｂがハイになっているフレームＦ１の期間中は、各行の走査線Ｇｆに駆動信号が出力されるタイミングでＡＮＤ回路の出力条件が満たされるので、駆動信号が出力されるタイミングに応じて第１走査線ｇａｔｅｆＬ及び第２走査線ｇａｔｅｆＨに駆動信号が伝送される。すなわち、Ｇ１がハイになるタイミングでｇａｔｅ１Ｌ及びｇａｔｅ１Ｈがハイになる。この場合、１行目の画素行に配置された画素４８が有する全ての副画素４９、すなわち、第１副画素４９Ｒ、第２副画素４９Ｇ、第３副画素４９Ｂ及び第４副画素４９Ｗの書き換えが行われる。同様に、Ｇ２がハイになるタイミングでｇａｔｅ２Ｌ及びｇａｔｅ２Ｈがハイになる。
【００５１】
一方、切替信号ａｌｌ＿ｅｎｂがロウになっているフレームＦ２の期間中は、各行の走査線Ｇｆに駆動信号が出力されるタイミングであってもＡＮＤ回路の出力条件が満たされないので、第１走査線ｇａｔｅｆＬに駆動信号が伝送されず、駆動信号が出力されるタイミングに応じて第２走査線ｇａｔｅｆＨに駆動信号が伝送される。すなわち、Ｇ１がハイになるタイミングでｇａｔｅ１Ｈがハイになる。この場合、１行目の画素行に配置された第４副画素４９Ｗの書き換えが行われる。同様に、Ｇ２がハイになるタイミングでｇａｔｅ２Ｈがハイになる。
【００５２】
図９では図示を省略しているが、フレームＦ３，Ｆ４，…以降については、２フレーム単位でフレームＦ１，Ｆ２の２フレームと同様の信号制御が行われる。また、図７及び図９では図示を省略しているが、３行目以降の画素行に配置された副画素４９についても、同様の仕組みで垂直同期信号Ｖｓｔａｒｔ、水平同期信号Ｖｃｋ、駆動信号及び切替信号ａｌｌ＿ｅｎｂに応じた制御が行われる。
【００５３】
このように、表示装置は、第１画素（例えば、第１副画素４９Ｒ、第２副画素４９Ｇ及び第３副画素４９Ｂ）と接続された第１走査線ＧＬと、第２画素（例えば、第４副画素４９Ｗ）と接続された第２走査線ＧＨとを備える。第１走査線ＧＬ及び第２走査線ＧＨは駆動信号が入力される入力部として機能する走査線ＳＣＬと接続されている。少なくとも第１走査線ＧＬは、駆動信号の伝送の有無を切り替える切替回路４７を介して入力部と接続されている。また、表示装置は、第１走査線ＧＬに対する駆動信号の伝送の有無を切り替えるための切替信号ａｌｌ＿ｅｎｂを切替回路４７に入力するための切替信号線ＡＥを備える。切替回路４７は、切替信号ａｌｌ＿ｅｎｂ及び駆動信号の両方が入力された場合に第１走査線ＧＬに駆動信号を伝送する。また、第２画素は、第１画素の駆動周波数（例えば、６０Ｈｚ）よりも高い周波数（例えば、１２０Ｈｚ）で駆動される。具体的には、第２画素は、第１画素の２倍の周波数で駆動される。
【００５４】
次に、画像処理部１０が出力する画像データについて説明する。画像処理部１０は、画像処理部１０に接続された外部構成から入力される元データに基づいて、各フレームの画像データを生成する。元データは、少なくとも赤色、緑色及び青色の各々の階調値を示す情報を含む画像データである。当該外部構成として、例えば、図６で示すＭＰＵ９６、本実施形態に係る表示装置を有する電子機器のグラフィックアクセラレータ等が挙げられる。画像処理部１０は、水平同期信号Ｖｃｋに応じて各フレームの画像データをライン単位の画像データに分割して出力する。これによって、垂直同期信号Ｖｓｔａｒｔの周期で各フレームの画像が画像表示パネル３０により表示されるようになる。
【００５５】
本実施形態では、ＲＧＢの映像信号の出力周期は、Ｗの映像信号の出力周期の１／２である。このため、Ｗの映像信号の出力周期に応じてＲＧＢを含む元データが入力されている場合、第４副画素４９Ｗの１／２の周期で書き換えられる第１副画素４９Ｒ、第２副画素４９Ｇ及び第３副画素４９Ｂは、元データの入力周期に応じた書き換えが行われないことになり、元データの入力周期に対して忠実な表示出力が困難になる可能性がある。そこで、本実施形態の画像処理部１０は、元データの入力周期が高輝度画素（例えば、Ｗの映像信号）の出力周期に対応し、ＲＧＢの映像信号の出力周期よりも早い場合に、ＲＧＢの映像信号の出力周期で元データにより忠実な表示出力を行うための画像データの生成に係る画像処理を行う。
【００５６】
図１０は、画像処理部１０による画像処理及び元データの入力タイミングと画像データの出力タイミングの制御の一例を示すタイミングチャートである。画像処理部１０は、２フレーム分の元データに含まれる色成分のうち高輝度画素に対応しない色の副画素４９（例えば、第１副画素４９Ｒ、第２副画素４９Ｇ及び第３副画素４９Ｂ）で出力される色成分を色別に平均化する平均化処理を行う。
【００５７】
図１０を参照した説明では、第１副画素４９Ｒの色である赤色（Ｒ）を例として説明する。画像処理部１０は、例えば、２フレーム分の元データに含まれる色成分のうち赤色（Ｒ）の色成分Ｒ（２ｍ−１），Ｒ２ｍを以下の式（１）を用いて平均化する。これによって、赤色（Ｒ）の色成分Ｒ（２ｍ−１），Ｒ２ｍに対応する赤色（Ｒ）の画像データは、｛Ｒ（２ｍ−１）＋Ｒ２ｍ｝／２になる。ｍは、自然数である。一例を挙げると、例えばＲ（２ｍ−１）が示す階調値が１２０、Ｒ２ｍが示す階調値が１３０であった場合、｛Ｒ（２ｍ−１）＋Ｒ２ｍ｝／２が示す階調値は、１２５になる。このように、画像処理部１０は、第２画素が２回駆動される期間中における２回分の第１画素の入力データが示す階調値を平均化した出力データを第１画素に出力する。
【００５８】
図１０では、１，２フレーム目の元データに含まれる赤色（Ｒ）の色成分を平均化した（Ｒ１＋Ｒ２）／２の画像データ及び３，４フレーム目の元データに含まれる赤色（Ｒ）の色成分を平均化した（Ｒ３＋Ｒ４）／２の画像データを例示しているが、５フレーム目以降の元データについても同様の仕組みで平均化される。
【００５９】
図１０に示す平均化処理を行う画像処理部１０は、入力データ（元データ）の入力タイミングから１フレーム期間遅らせて出力データ（画像データ）を出力する。具体的には、各フレームの元データは、マスタークロックＣＫの周期に対応して入力される。マスタークロックＣＫと垂直同期信号Ｖｓｔａｒｔの周波数は同一であるので、マスタークロックＣＫの周期は、垂直同期信号Ｖｓｔａｒｔの周期と同一である。すなわち、マスタークロックＣＫの周期は、フレーム画像の更新周期である。画像処理部１０は、マスタークロックＣＫに基づいて、平均化処理に用いられる元データが入力された最初のタイミングと同期しているマスタークロックＣＫの次のマスタークロックＣＫのフレーム周期で画像データを出力する。
【００６０】
具体的には、画像処理部１０は、Ｒ（２ｍ−１）の元データが入力されたタイミングの次のタイミング、すなわち、Ｒ２ｍの元データが入力されたフレーム周期で｛Ｒ（２ｍ−１）＋Ｒ２ｍ｝／２の画像データを出力している。図１０では、画像処理部１０は、Ｒ１の元データが入力されたタイミングの次のタイミング、すなわち、Ｒ２の元データが入力されたフレーム周期で（Ｒ１＋Ｒ２）／２の画像データを出力している。また、画像処理部１０は、Ｒ３の元データが入力されたタイミングの次のタイミング、すなわち、Ｒ４の元データが入力されたフレーム周期で（Ｒ３＋Ｒ４）／２の画像データを出力している。５フレーム目以降についても同様である。
【００６１】
画像処理部１０は、高輝度画素に対応する色については平均化処理を行わず、元データの入力タイミングに対して１フレーム分遅らせた周期で画像データを出力する。具体的には、画像処理部１０は、Ｗ（２ｍ−１）の元データが入力されたタイミングの次のタイミング、すなわち、Ｗ２ｍの元データが入力されたフレーム周期でＷ（２ｍ−１）の画像データを出力している。また、画像処理部１０は、Ｗ２ｍの元データが入力されたタイミングの次のタイミング、すなわち、Ｗ（２ｍ＋１）の元データが入力されたフレーム周期でＷ２ｍの画像データを出力している。
【００６２】
係る平均化処理の有無及び入出力タイミングの制御により、｛Ｒ（２ｍ−１）＋Ｒ２ｍ｝／２の画像データの出力タイミングとＷ（２ｍ−１）の画像データの出力タイミングとが同期する。また、平均化処理が行われた色成分の画像データの出力タイミングと切替信号ａｌｌ＿ｅｎｂがハイになるタイミングとは同期している。これによって、画像表示パネル３０は、（２ｍ−１）フレーム目の元データの入力タイミングに対応して決定された１フレーム分後の出力タイミングで（２ｍ−１）フレーム目の元データの色成分が反映された画像データに基づいた表示出力を行うことができる。また、Ｗ２ｍ−１の画像データの出力が行われるフレーム期間中、｛Ｒ（２ｍ−１）＋Ｒ２ｍ｝／２の画像データは書き換えが行われずに維持される。これによって、信号出力回路４１は、２ｍフレーム目の元データの入力タイミングに対応して決定された１フレーム分後の出力タイミングで２ｍフレーム目の元データの色成分が反映された表示出力を行うことができる。
【００６３】
図１０を参照した説明では、本実施形態において高輝度画素の色でない色（ＲＧＢ）のうち、赤色（Ｒ）を例としているが、緑色（Ｇ）及び青色（Ｂ）の色成分についても同様の仕組みで平均化処理及び入出力のタイミング制御が行われる。
【００６４】
図１０を参照して説明した平均化処理及び入出力タイミングに係り、画像処理部１０は、Ｒ２ｍの元データが入力されて平均化処理を行うことができるようになるタイミングまでＲ（２ｍ−１）の元データを保持するための記憶領域を必要とする。Ｗ（２ｍ−１）のデータに基づいた画像データを１フレーム分遅らせて出力するまで保持するための記憶領域を必要とする。本実施形態では、これらの記憶領域としてバッファメモリ１１（図４参照）が画像処理部１０に設けられている。
【００６５】
なお、図１０を参照した説明では、平均化処理で｛Ｒ（２ｍ−１）＋Ｒ２ｍ｝／２の画像データを生成しているが、これは一例であってこれに限られるものでなく、適宜変更可能である。例えば、平均化処理で｛Ｒ（２ｍ）＋Ｒ２（ｍ＋１）｝／２の画像データを生成するようにしてもよい。具体的には、画像処理部１０は、１フレーム目には平均化処理を行わずにＷ１，Ｒ１の画像データを出力する。画像処理部１０は、２フレーム目にＷ２の画像データを出力するタイミングではＲ２の元データに基づいた画像データを出力せずに次のフレームの平均化処理のために維持する。画像処理部１０は、３フレーム目にＷ３の画像データと平均化処理によって得られた（Ｒ２＋Ｒ３）／２の画像データを出力する。より一般化して説明すると、画像処理部１０は、平均化処理を行わずに１フレーム目の元データに基づいて１フレーム目の画像データを出力する。また、画像処理部１０は、２ｍフレーム目の元データに基づいてＷ２ｍの画像データを出力する。２ｍフレーム目における高輝度画素以外の副画素４９（例えば、第１副画素４９Ｒ等）は、（２ｍ−１）フレーム目の画像データに応じた表示出力状態で維持される。画像処理部１０は、（２ｍ＋１）フレーム目についてＷ２（ｍ＋１）の画像データと平均化処理によって得られた｛Ｒ（２ｍ）＋Ｒ２（ｍ＋１）｝／２の画像データを出力する。この場合、１フレーム目の元データの入力タイミングに対して必ずしも１フレーム目の画像データの出力タイミングを遅らせることなく出力することができるようになり、入力タイミングに対する出力タイミングの遅れを低減することができるようになる。
【００６６】
画像処理部１０は、他の処理方法で１フレーム目の元データの入力タイミングに対して必ずしも１フレーム目の画像データの出力タイミングを遅らせることなく出力することができるようにしてもよい。図１１は、画像処理部１０による画像処理及び元データの入力タイミングと画像データの出力タイミングの制御の別の一例を示すタイミングチャートである。図１１に示す例の場合、切替信号ａｌｌ＿ｅｎｂの出力タイミングと（２ｍ−１）フレーム目の画像データの出力タイミングとは同期している。
【００６７】
図１１に示す例では、画像処理部１０は、切替信号ａｌｌ＿ｅｎｂが出力されるタイミングに対応して出力される画像データを、全ての色に対応する画像データとする。また、画像処理部１０は、切替信号ａｌｌ＿ｅｎｂが出力されないタイミングに対応して出力される画像データを、高輝度画素以外の副画素４９の色における輝度差が反映された高輝度画素の色に対応する画像データとする。高輝度画素以外の副画素４９の色における輝度差とは、切替信号ａｌｌ＿ｅｎｂが出力されないタイミングにおける高輝度画素以外の副画素４９の色によって得られる輝度（Ｌ２ｍ）と、その直前に出力された画像データのうち高輝度画素以外の副画素４９の色によって得られる輝度（Ｌ（２ｍ−１））との差である。
【００６８】
具体的には、画像処理部１０は、（２ｍ−１）フレーム目にＲ（２ｍ−１），Ｇ（２ｍ−１），Ｂ（２ｍ−１），Ｗ（２ｍ−１）の画像データを出力する。また、画像処理部１０は、以下の式（１）に基づいてＲ（２ｍ−１），Ｇ（２ｍ−１），Ｂ（２ｍ−１）によって得られる輝度及びＲ２ｍ，Ｇ２ｍ，Ｂ２ｍによって得られる輝度を個別に算出する。より具体的には、式（１）におけるｎに（２ｍ−１）又は２ｍを代入する。Ｙｒ，Ｙｇ，Ｙｂは同一階調値に応じた表示出力時における赤色（Ｒ）、緑色（Ｇ）、青色（Ｂ）の輝度差に対応した補正値である。より具体的には、例えば（Ｙｒ，Ｙｇ，Ｙｂ）＝（０．２１３，０．７１５，０．０７２）であるが、これらの値はあくまで一例であってこれに限られるものでなく、適宜変更可能である。
Ｌｎ＝Ｒｎ×Ｙｒ＋Ｇｎ×Ｙｇ＋Ｂｎ×Ｙｒ…（１）
【００６９】
式（１）においてｎ＝２ｍとすると、Ｒ（２ｍ−１），Ｇ（２ｍ−１），Ｂ（２ｍ−１）によって得られる輝度はＬ（ｎ−１）、Ｒ２ｍ，Ｇ２ｍ，Ｂ２ｍによって得られる輝度はＬｎとすることができる。画像処理部１０は、以下の式（２）に基づいて、２ｍフレーム目における高輝度画素の階調値（Ｗｎ）を補正する。
Ｗｎ＝（Ｗｎ＋Ｌｎ）−Ｌ（ｎ−１）…（２）
【００７０】
式（２）によって補正された階調値（Ｗｎ）は、切替信号ａｌｌ＿ｅｎｂが出力されないタイミングにおける高輝度画素以外の色に対応する副画素４９の色によって得られる輝度（Ｌｎ）を反映している。一方、画像表示パネル３０は、切替信号ａｌｌ＿ｅｎｂが出力されない期間中、Ｒ（２ｍ−１），Ｇ（２ｍ−１），Ｂ（２ｍ−１）によって得られる輝度（Ｌ（ｎ−１））の出力を維持している。このため、単に切替信号ａｌｌ＿ｅｎｂが出力されないタイミングにおける高輝度画素の階調値（Ｗｎ）に輝度（Ｌｎ）を加算した場合、輝度（Ｌ（ｎ−１））分だけ輝度が超過することになる。そこで、画像処理部１０は、式（２）に示すように、切替信号ａｌｌ＿ｅｎｂが出力されないタイミングの輝度の加算（＋Ｌｎ）と出力が維持されている輝度の減算（−Ｌ（ｎ−１））の両方を行って高輝度画素の階調値（Ｗｎ）を補正する。このように、画像処理部１０は、第２画素が２回駆動される期間中における２回分の第１画素の入力データが示す輝度差を反映した出力データを第２画素に出力してもよい。
【００７１】
なお、高輝度画素の階調値（Ｗｎ）は０より小さくすることができない。このため、式（２）による算出結果が０より小さくなった場合、画像処理部１０は、高輝度画素の階調値（Ｗｎ）を０にする。また、高輝度画素の階調値（Ｗｎ）は、階調値の最大値（例：８ビットの場合、２５５）より大きくすることができない。このため、式（２）による算出結果が階調値の最大値より大きくなった場合、画像処理部１０は、高輝度画素の階調値（Ｗｎ）を最大値にする。
【００７２】
図１２は、フレーム間の輝度調整に係る処理の流れの一例を示すフローチャートである。図１２のフローチャートでは、補正された輝度を出力するフレームの番号をｎとする。画像処理部１０は、上記の式（１）に基づいて、補正された輝度を出力するフレームｎの１つ前のフレーム（ｎ−１）における高輝度画素の色以外の副画素４９の色成分により得られる輝度（Ｌｎ−１）を算出する（ステップＳ１）。また、画像処理部１０は、上記の式（１）に基づいて、補正された輝度を出力するフレームｎにおける高輝度画素の色以外の副画素４９の色成分により得られる輝度（Ｌｎ）を算出する（ステップＳ２）。画像処理部１０は、上記の式（２）に基づいて、補正された輝度を出力するフレームｎにおける高輝度画素の階調値（Ｗｎ）を補正する（ステップＳ３）。画像処理部１０は、ステップＳ３の処理によって補正された高輝度画素の階調値（Ｗｎ）が所定の範囲外であるか否かを判定する（ステップＳ４）。例えば、０未満であるか否か判定する。所定の範囲外であると判定された場合（ステップＳ４；Ｙｅｓ）、画像処理部１０は、高輝度画素の階調値（Ｗｎ）を最大値または最小値（ステップＳ５）にする。例えば、０未満であると判定された場合、画像処理部１０は、高輝度画素の階調値（Ｗｎ）を０にする。一方、所定の範囲内であると判定された場合（ステップＳ４；Ｎｏ）、画像処理部１０は、ステップＳ３の処理によって補正された高輝度画素の階調値（Ｗｎ）を採用する。例えば、０未満でないと判定された場合、画像処理部１０は、ステップＳ３の処理によって補正された高輝度画素の階調値（Ｗｎ）を採用する。
【００７３】
本実施形態では、高輝度画素の色が白色（Ｗ）であるために階調値と輝度値とが等しいもの（補正値Ｙｗ＝１）として扱うことができるが、高輝度画素の色が白以外の色である場合、高輝度画素の表示出力により得られる輝度値が階調値より小さくなることが有り得る。この場合、式（２）におけるＷｎに、係る輝度値と階調値との差に対応する補正値（１未満）を乗算する。
【００７４】
次に、ＲＧＢＷの画像データを得る仕組みを例示する。図１３は、ＲＧＢの映像信号に基づいてＲＧＢＷの映像信号を生成する仕組みの一例を示す図である。ＲＧＢ色空間では、等しい階調値の赤色（Ｒ）、緑色（Ｇ）及び青色（Ｂ）の色成分の組み合わせによって白色を出力することができる。このため、元データがＲＧＢ色空間の階調値を示すデータである場合、赤色（Ｒ）、緑色（Ｇ）及び青色（Ｂ）の３色の階調値のうち最も小さい階調値と同値の階調値（ｍｉｎ（Ｒ，Ｇ，Ｂ））を３色から抽出し、抽出された階調値と同値の階調値を白色（Ｗ）の階調値とすることができる。係る白色（Ｗ）の階調値の抽出が行われた後の画像データは、ＲＧＢＷ色空間の画像データとして扱うことができる。ここで、第４副画素４９Ｗを用いて所定輝度の白色を出力する場合、第１副画素４９Ｒ、第２副画素４９Ｇ及び第３副画素４９Ｂの全てを用いて当該所定輝度の白色を出力する場合に比して画素の駆動に係る消費電力を低減することができる。
【００７５】
また、後述する輝度突き上げ処理のように、元データが示す階調値に白色（Ｗ）の階調値を加える処理を伴うことでＲＧＢＷの画像データを得てもよい。図１４は、輝度突き上げ処理前の色空間を模式的に示す図である。図１５は、輝度突き上げ処理後の色空間を模式的に示す図である。ＲＧＢ色空間における色相Ｈ、彩度Ｓ及び明度Ｖの関係は、例えば図１４に示すような円柱状の色空間における関係として示すことができる。色相Ｈの遷移方向は、円周に沿った方向で示すことができる。彩度Ｓ（鮮やかさ）は円柱の中心軸からの径で示すことができる。明度Ｖ（明るさ）は、円柱の中心軸に沿う高さ方向で示すことができる。係る円柱状の色空間において、明度Ｖの上限を挙げるように色空間を拡張した場合、例えば図１５に示すように、頂点側が平らに均された円錐状の拡張色空間が拡張前の円柱状の色空間の上側に追加された色空間が得られる。ここで、円錐状の拡張色空間が拡張される上側は、拡張前の色空間に付加された白色（Ｗ）の色成分を示す。このように、図１５に示すような明度Ｖが拡張された色空間は、ＲＧＢＷ色空間であるといえる。
【００７６】
図１６は、輝度突き上げ処理による輝度の向上を図１５に示す色空間で模式的に示す図である。図１７は、輝度突き上げ処理によって映像信号に追加された輝度成分を模式的に示す図である。明度が拡張された色空間では、例えば図１６におけるα値が示すように白色（Ｗ）の色成分を加えることで色の明度を上げることができる。このため、例えば入力された元データに基づいた画像データの出力に係り、α値に応じた白色（Ｗ）の色成分を付加する処理（輝度突き上げ処理）を行うことで、当該画像データを出力する画素の輝度を上げることができる。輝度突き上げ処理後の画像データは、ＲＧＢＷ色空間の画像データとして扱うことができる。この場合、追加された白色（Ｗ）の色成分に対応する階調値（図１７参照）を高輝度画素に割り当てることで、輝度突き上げ処理後の階調値に応じた表示出力を画素４８に行わせることができる。
【００７７】
本実施形態では、白色（Ｗ）の色成分の抽出及び輝度突き上げ処理によるＲＧＢＷ色空間の画像データの生成処理は、ＲＧＢ色空間の元データに基づいて画像処理部１０が行う。すなわち、本実施形態の画像処理部１０は、赤色、緑色及び青色の各々の階調値を示す情報を含む画像データ（例えば、元データ）に基づいて、当該画像データが示す赤色、緑色及び青色の階調値のうち最小の階調値以下の赤色成分、緑色成分及び青色成分を白色成分に変換する変換処理部として機能する。また、本実施形態の画像処理部１０は、入力データに第２画素の色に対応する色成分（例えば、α値の白色成分）を付加する付加処理部として機能する。なお、画像処理部１０が白色（Ｗ）の色成分の抽出及び輝度突き上げ処理を行う方法は、ＲＧＢＷ色空間の画像データを得る具体的な方法の一例であってこれに限られるものでなく、適宜変更可能である。例えば、元データがＲＧＢＷ色空間のデータであってもよい。
【００７８】
以上、本実施形態によれば、第１画素（例えば、第１副画素４９Ｒ、第２副画素４９Ｇ及び第３副画素４９Ｂ）の色よりも輝度の高い高輝度色が割り当てられた第２画素（例えば、第４副画素４９Ｗ）が第１画素の駆動周波数（例えば、６０Ｈｚ）よりも高い周波数（例えば、１２０Ｈｚ）で駆動される。よって、第２画素による表示出力状態の更新によりリフレッシュレートを向上させることができる。ここで、高輝度色の更新頻度をより高めることで、より滑らかな画像更新が行われているとヒトに認識させやすくなる。また、画素４８が有する全ての副画素４９の駆動周波数を一律で高める場合に比して、第２画素の駆動周波数を優先して高めることで、リフレッシュレートの向上に対して画素４８の駆動に伴う消費電力の増大の割合をより低減することができる。このように、本実施形態によれば、リフレッシュレートの向上と消費電力の増大の度合いの抑制とを両立することができる。
【００７９】
また、赤色が割り当てられた第１原色画素として機能する第１副画素４９Ｒ、緑色が割り当てられた第２原色画素として機能する第２副画素４９Ｇ及び青色が割り当てられた第３原色画素として機能する第３副画素４９Ｂを第１画素として有し、高輝度色が白色である。よって、ＲＧＢの画像データに対応する表示出力をより容易に行うことができると共に、白色による表示出力の高輝度化及び高輝度出力における消費電力の低減がより容易になる。
【００８０】
また、第１画素と接続された第１走査線ＧＬと、第１画素と接続された第２走査線ＧＨとを備え、駆動信号の伝送の有無を切り替える切替回路４７を介して入力部（例えば、走査線ＳＣＬ）と第１走査線ＧＬとが接続されている。よって、切替回路４７によって第１走査線ＧＬに駆動信号が伝送される頻度を第２走査線ＧＨに駆動信号が伝送される頻度よりも低くすることで第２画素を第１画素の駆動周波数よりも高い周波数で駆動することができる。
【００８１】
また、第１走査線ＧＬに対する駆動信号の伝送の有無を切り替えるための切替信号ａｌｌ＿ｅｎｂを切替回路４７に入力するための切替信号線ＡＥを備え、切替回路４７は、切替信号ａｌｌ＿ｅｎｂ及び駆動信号の両方が入力された場合に第１走査線ＧＬに駆動信号を伝送する。すなわち、駆動信号が入力されるタイミングにおける切替信号ａｌｌ＿ｅｎｂの有無を切り替える仕組みが設けられている。よって、第１走査線ＧＬに駆動信号が伝送される頻度を第２走査線ＧＨに駆動信号が伝送される頻度よりも低くすることがより容易になる。
【００８２】
また、赤色、緑色及び青色の各々の階調値を示す情報を含む画像データに基づいて、当該画像データが示す赤色、緑色及び青色の階調値のうち最小の階調値以下の赤色成分、緑色成分及び青色成分を白色成分に変換することで、ＲＧＢの元データの入力に基づいてＲＧＢＷの画像データを出力することができる。よって、白色の高輝度画素（第４副画素４９Ｗ）を用いたより低い消費電力での表示出力がより容易になる。
【００８３】
また、入力データに第２画素の色に対応する色成分を付加することで、画素４８の輝度をより高めやすくなる。
【００８４】
また、第２画素が２回駆動される期間中における２回分の第１画素の入力データが示す階調値を平均化した出力データを第１画素に出力することで、第２画素よりも駆動周波数が低い第１画素による表示出力に係る色成分の欠落を抑制することができる。
【００８５】
また、画像処理部１０が入力データの入力タイミングから１フレーム期間遅らせて出力データを出力することで、第１画素の入力データが示す階調値を平均化した出力データのタイミングと平均化された入力データと同期した入力データに基づいて駆動される第２画素に対する出力データのタイミングとを合わせることができる。よって、第１画素による表示出力と第２画素による表示出力とを同期させやすくなる。
【００８６】
また、第２画素が２回駆動される期間中における２回分の第１画素の入力データが示す輝度差を反映した出力データを第２画素に出力することで、第２画素よりも駆動周波数が低い第１画素による表示出力に係る輝度成分を補間することができる。
【００８７】
（変形例）
次に、本発明に係る実施形態の変形例について、図１８及び図１９を参照して説明する。変形例に係る説明において、上記の実施形態と同様の構成については同じ符号を付して説明を省略することがある。
【００８８】
図１８は、変形例における第１副画素４９Ｒ、第２副画素４９Ｇ、第３副画素４９Ｂ及び第４副画素４９Ｗ並びに切替回路４７の具体的構成を示す図である。変形例における１つの画素は、行列方向に沿って２×２の配列となるよう設けられた第１副画素４９Ｒ、第２副画素４９Ｇ、第３副画素４９Ｂ及び第４副画素４９Ｗを有する。より具体的には、画素４８は、例えば、左上に配置された第１副画素４９Ｒ、右上に配置された第２副画素４９Ｇ、右下に配置された第３副画素４９Ｂ及び左下に配置された第４副画素４９Ｗを有する。係る副画素４９の色の配置によれば、副画素４９のうち相対的に高輝度である第４副画素４９Ｗ及び第２副画素４９ＧをＸ方向及びＹ方向に交差する斜め方向に並べているので、Ｘ方向及びＹ方向に高輝度な副画素４９が並ぶ場合に比して副画素４９の輝度差により生じることがあるスジをより確実に抑制することができる。係る副画素４９の色の配置はあくまで一例であってこれに限られるものでなく、適宜変更可能である。
【００８９】
変形例では、第２副画素４９Ｇ及び第４副画素４９Ｗが第２走査線ＧＨに接続されている。また、変形例４では、第１副画素４９Ｒ及び第３副画素４９Ｂが第１走査線ＧＬに接続されている。ここで、第１走査線ＧＬに接続される２つの副画素４９のうち一方は、当該副画素４９が配置された画素行の外に位置する第１走査線ＧＬに接続されている。具体的には、例えば、ｑ行目の画素行における第３副画素４９Ｂは、ｑ＋１行目の画素行における第１走査線ＧＬに接続されている。
【００９０】
変形例では、切替信号線ＡＥに代えて、第１切替信号線ＡＥ１と第２切替信号線ＡＥ２によって信号出力回路４１と切替回路４７Ａとが接続されている。また、変形例における切替回路４７Ａは、２つのＡＮＤ回路を有する。２つのＡＮＤ回路の一方は、入力側が走査線ＳＣＬと第２切替信号線ＡＥ２に接続され、出力側が第２走査線ＧＨに接続されている。当該ＡＮＤ回路は、走査線ＳＣＬからの駆動信号と第２切替信号線ＡＥ２からの第２切替信号ｅｎｂＨの両方が入力されるタイミングで駆動信号を第２走査線ＧＨに出力する。２つのＡＮＤ回路の他方は、入力側が走査線ＳＣＬと第１切替信号線ＡＥ１に接続され、出力側が第１走査線ＧＬに接続されている。当該ＡＮＤ回路は、走査線ＳＣＬからの駆動信号と第１切替信号線ＡＥ１からの第１切替信号ｅｎｂＬの両方が入力されるタイミングで駆動信号を第２走査線ＧＨに出力する。
【００９１】
図１９は、図１８に示す第１副画素４９Ｒ、第２副画素４９Ｇ、第３副画素４９Ｂ及び第４副画素４９Ｗの書き換えに係り出力される駆動系の信号の出力例を示すタイミングチャートである。変形例の信号出力回路４１は、２フレーム期間中１フレーム期間のみ、１フレーム期間おきに第１切替信号線ＡＥ１に第１切替信号ｅｎｂＬを出力する。各フレーム期間中における第１切替信号ｅｎｂＬのハイ／ロウの切替周期は、水平同期信号Ｖｃｋのハイ／ロウの切替周期と同様である。また、変形例の信号出力回路４１は、毎フレーム期間中、第２切替信号線ＡＥ２に第２切替信号ｅｎｂＨを出力する。第２切替信号ｅｎｂＨは、１フレーム期間中に水平同期信号Ｖｃｋが最初にハイになった後にロウになったタイミングでハイになる。その後、第２切替信号ｅｎｂＨのハイ／ロウの切替周期は、水平同期信号Ｖｃｋのハイ／ロウの切替周期を反転した周期である。その他の信号の出力タイミング及び周期は、実施形態と同様である。
【００９２】
変形例では、走査線Ｇｆの駆動信号がハイであり、かつ、第１切替信号ｅｎｂＬがハイであるタイミングで第１走査線ｇａｔｅｆＬに駆動信号が伝送される。また、変形例では、走査線Ｇｆの駆動信号がハイであり、かつ、第２切替信号ｅｎｂＨがハイであるタイミングで第２走査線ｇａｔｅｆＨに駆動信号が伝送される。よって、変形例における第２走査線ｇａｔｅｆＨには駆動信号が毎フレーム伝送されることになる。一方、変形例における第１走査線ｇａｔｅｆＬには駆動信号が１フレーム期間おきに伝送されることになる。このように、変形例における第１走査線ｇａｔｅｆＬ及び第２走査線ｇａｔｅｆＨへの駆動信号の伝送タイミングは、実施形態と同様になる。
【００９３】
このように、変形例における表示装置は、第１走査線ＧＬに対する駆動信号の伝送の有無を切り替えるための第１切替信号ｅｎｂＬを切替回路４７Ａに入力するための第１切替信号線ＡＥ１と、第２走査線ＧＨに対する駆動信号の伝送の有無を切り替えるための第２切替信号ｅｎｂＨを切替回路４７Ａに入力するための第２切替信号線ＡＥ２とを備える。第１走査線ＧＬ及び第２走査線ＧＨは、駆動信号の伝送の有無を切り替える切替回路４７Ａを介して入力部と接続されている。切替回路４７Ａは、第１切替信号ｅｎｂＬ及び駆動信号の両方が入力された場合に第１走査線ＧＬに駆動信号を伝送し、第２切替信号ｅｎｂＨ及び駆動信号の両方が入力された場合に第２走査線ＧＨに駆動信号を伝送する。
【００９４】
ただし、変形例では、第２副画素４９Ｇ及び第４副画素４９Ｗが第２走査線ＧＨに接続されている。すなわち、変形例における第２副画素４９Ｇ及び第４副画素４９Ｗが、第１画素の色よりも輝度の高い高輝度色が割り当てられた第２画素に相当する。具体的には、緑色及び白色は、赤色、青色よりも高輝度であることから、第１画素の色よりも輝度の高い高輝度色に該当する。一方で、第１副画素４９Ｒ及び第３副画素４９Ｂは第１走査線ＧＬに接続されており、第１画素に相当する。
【００９５】
以上、変形例によれば、実施形態と同様の駆動信号の伝送タイミングを実現することができる。加えて、変形例の構成は、第２切替信号線ＡＥ２を有することから第２切替信号ｅｎｂＨの出力タイミングによって第２走査線ＧＨへの駆動信号の伝送タイミングを任意に決定することができる。よって、第１画素（例えば、第１副画素４９Ｒ及び第３副画素４９Ｂ）と第２画素（例えば、第２副画素４９Ｇ及び第４副画素４９Ｗ）の駆動タイミングの関係をより柔軟に決定することができる。
【００９６】
なお、変形例を含む本発明の実施形態等においては、表示部２０の開示例として液晶表示装置の場合を例示したが、その他の適用例として、有機エレクトロルミネセンス（Electroluminescence：ＥＬ）表示装置、その他の自発光型表示装置等、あらゆるフラットパネル型の表示装置が挙げられる。また、中小型から大型まで、特に限定することなく適用が可能であることは言うまでもない。
【００９７】
また、実施形態の図１を参照した説明では、撮像装置が３つである場合を説明しているが、これはあくまで複数の撮像装置の具体例であってこれに限られるものでない。撮像装置の数は２以上であればよい。合成部は、撮像された２以上の出力内容を合成して表示部に出力すればよい。
【００９８】
また、自動車は、ルームミラーユニット２、サイドミラーユニット３Ａ，３Ｂ及びＣＩＤ４のうち一部のユニットのみを備えていてもよい。また、各ユニットをそれぞれ構成する装置の一部を、1つのユニットに集約してもよい。例えば、表示システムの構成としての表示装置は１つであってもよいし、複数であってもよい。また、本発明では合成表示を行うのはルームミラーユニット２の表示装置としていたが、合成表示を行う表示装置の位置はこれに限られず、サイドミラーユニット３Ａ、３Ｂ、又はＣＩＤ４で合成表示を実施してもよい。
【００９９】
また、変形例を含む本発明の実施形態等においては、移動体の開示例として自動車の場合を例示したが、３輪以上の車輪と乗員が車室内に備えられた座席に座ることができるボディとを備えた所謂自動車に限らず、２輪であっても所謂ボディを備えるものであれば適用が可能であるし、モーターボート等、他の移動体にも適用が可能である。係る移動体に本発明の実施形態等が適用される場合、表示装置は、移動中に撮像された画像を表示するに際して相対的に高フレームレートの入出力が要求されやすくなる。係る高フレームレートの入出力が要求される条件下で、本発明の実施形態等は、第２画素をより高い周波数で駆動することで係る要求を満たすことができる。また、本発明の実施形態等は、スマートフォン、タブレット等の携帯端末機器その他の表示装置として機能するあらゆる機器に適用可能である。
【０１００】
また、第１画素の色は、赤色（Ｒ）、青色（Ｂ）等の原色に限られず、適宜変更可能である。例えば、第１画素の色は、シアン（Ｃ）、マゼンタ（Ｍ）、イエロー（Ｙ）等の色であってもよい。また、第２画素の色は、第１画素の色よりも輝度の高い高輝度色であればよい。例えば、第１画素の色を赤色（Ｒ）、緑色（Ｇ）、青色（Ｂ）の組み合わせ又はシアン（Ｃ）、マゼンタ（Ｍ）の組み合わせとし、第２画素の色をイエロー（Ｙ）としてもよい。
【０１０１】
また、上記の実施形態では、第１画素の色数が３色であり、第２画素の色数が１色である場合を例示したが、第１画素の色数及び第２画素の色数はこれに限られない。本発明の構成は、少なくとも１色が割り当てられた第１画素と、第１画素の色よりも輝度の高い高輝度色が割り当てられた第２画素とを備える構成であればよい。
【０１０２】
また、変形例を含む本発明の実施形態等において述べた態様によりもたらされる他の作用効果について本明細書記載から明らかなもの、又は当業者において適宜想到し得るものについては、当然に本発明によりもたらされるものと解される。例えば、従属項により特定されている発明特定事項に対応する各要素を適宜組み合わせてもよい。
【符号の説明】
【０１０３】
１  表示システム
２  ルームミラーユニット
３Ａ，３Ｂ  サイドミラーユニット
４  ＣＩＤユニット
５，５Ａ，５Ｂ，５Ｃ  撮像装置
１０，１０Ａ，１０Ｂ，１４  画像処理部
２０，２０Ａ，２０Ｂ，２０Ｃ  表示部
３０  画像表示パネル
４１  信号出力回路
４２  走査回路
４７，４７Ａ  切替回路
４８  画素
４９  副画素
４９Ｒ  第１副画素
４９Ｇ  第２副画素
４９Ｂ  第３副画素
４９Ｗ  第４副画素
ＡＥ  切替信号線
ＡＥ１  第１切替信号線
ＡＥ２  第２切替信号線
ＤＴＬ  信号線
ＧＬ  第１走査線
ＧＨ  第２走査線
ＳＣＬ  走査線
【図１】
2017173415.tif 000003
【図２】
2017173415.tif 000004
【図３】
2017173415.tif 000005
【図４】
2017173415.tif 000006
【図５】
2017173415.tif 000007
【図６】
2017173415.tif 000008
【図７】
2017173415.tif 000009
【図８】
2017173415.tif 000010
【図９】
2017173415.tif 000011
【図１０】
2017173415.tif 000012
【図１１】
2017173415.tif 000013
【図１２】
2017173415.tif 000014
【図１３】
2017173415.tif 000015
【図１４】
2017173415.tif 000016
【図１５】
2017173415.tif 000017
【図１６】
2017173415.tif 000018
【図１７】
2017173415.tif 000019
【図１８】
2017173415.tif 000020
【図１９】
2017173415.tif 000021